(57)【要約】【課題】  夏期等の暑い時期や、イブニングドレス等のアウターウェアを着用する場合において、ブラジャー等の下着類の肩ストラップの脱着を容易に行うことができ、不用意に外れることがない肩ストラップ用取付具を提供する。【解決手段】カップ付き女性用衣類の本体に脱着可能とする肩ストラップ用取付具において、所定の厚みで、肩ストラップ端部に取り付けられるリング部、肩ストラップ取付用穴、開口部、及び係止用ストランドを有した取付具と、取付具のリング部と重合するように設けられたアーム部を有する略Ｓ字状の面を有する留め具からなり、取付具の一端面の係止用ストランド側のリング部の中央部に設けられた凸部若しくは貫通穴を、留め具の中央部に設けられた貫通穴若しくは凸部に嵌合させて、取付具の開口部を留め具の略Ｓ字状の他端部により覆設するようにして、取り付けたことを特徴とする肩ストラップ用取付具。【選択図】  図１５
2008002004.tif 000002
【特許請求の範囲】
【請求項１】
カップ付き女性用衣類の本体に脱着可能とする肩ストラップ用取付具において、
所定の厚みで、肩ストラップ端部に取り付けられるリング部、肩ストラップ取付用穴、開口部、及び係止用ストランドを有し、係止用ストランドの先端が鉤状に曲がっている係止部を有した取付具と、
屈曲性を保持したバネ部材の留め具からなり、
取付具の係止用ストランドの係止部を有するリング部の一端側に係止ストランドに対して交会方向に設けられた貫通穴に嵌合させて、
留め具の曲折部が開口部内の係止部の内側と当接し、
留め具が取り付け具の開口部を閉鎖するようにして、取り付けたことを特徴とする肩ストラップ用取付具。
【請求項２】
屈曲性を保持したバネ部材の留め具が、
両端を内側に曲げた線材で、一端部を他端部より長くした形状からなり、
取付具の係止用ストランドの係止部を有するリング部の一端側に係止ストランドに対して垂直方向に設けられた貫通穴に嵌合させて、
留め具の曲折部が開口部内の係止部の内側と当接し、
留め具が取り付け具の開口部を閉鎖するようにして、取り付けたことを特徴とする請求項１記載の肩ストラップ用取付具。
【請求項３】
カップ付き女性用衣類の本体に脱着可能とする肩ストラップ用取付具において、
所定の厚みで、肩ストラップ端部に取り付けられるリング部、肩ストラップ取付用穴、開口部、及び係止用ストランドを有した取付具と、
取付具のリング部と重合するように設けられたアーム部を有する略Ｓ字状の面を有する留め具からなり、
取付具の一端面の係止用ストランド側のリング部の中央部に設けられた凸部若しくは貫通穴を、
留め具の中央部に設けられた貫通穴若しくは凸部に嵌合させて、
取付具の開口部を留め具の略Ｓ字状の他端部により覆設するようにして、取り付けたことを特徴とする肩ストラップ用取付具。
【請求項４】
取付具のリング部と重合するように設けられたアーム部を有する略Ｓ字状の面を有する留め具が、
取付具のリング部と重合するように設けられたアーム部を有する略Ｓ字状の面と、同形状である面とが夫々対応するよう、折曲平面部を介して折曲され形成され、
取付具の一端面の係止用ストランド側のリング部の中央部に設けられた凸部若しくは貫通穴を、
留め具の一端面の中央部に設けられた貫通穴若しくは凸部に嵌合させて、
取付具の開口部を留め具の折曲平面部により覆設するようにして、取り付けたことを特徴とする請求項３記載の肩ストラップ用取付具。
【請求項５】
カップ付き女性用衣類の本体に脱着可能とする肩ストラップ用取付具を端部に有する肩ストラップにおいて、
端部に請求項１又は請求項２に記載の肩ストラップ用取付具を具備したことを特徴とする肩ストラップ。
【請求項６】
カップ付き女性用衣類の本体に脱着可能とする肩ストラップ用取付具を端部に有する肩ストラップにおいて、
端部に請求項３又は請求項４に記載の肩ストラップ用取付具を具備したことを特徴とする肩ストラップ。
【請求項７】
肩ストラップを衣類本体に脱着可能としたカップ付き女性用衣類において、
請求項５に記載の肩ストラップを具備したことを特徴とするカップ付き女性用衣類。
【請求項８】
肩ストラップを衣類本体に脱着可能としたカップ付き女性用衣類において、
請求項６に記載の肩ストラップを具備したことを特徴とするカップ付き女性用衣類。
【発明の詳細な説明】
【技術分野】
【０００１】
本発明は、ブラジャー、ブラスリット、ボディースーツ、キャミソール等の肩ストラップ用取付具、肩ストラップ及びカップ付き女性用衣類に関するものである。
【背景技術】
【０００２】
従来から、肩ストラップを衣類本体に脱着可能にした衣類はブラジャー等に適用されている。この肩ストラップを衣類本体に脱着可能にした衣類は、例えば、夏期等の暑い時期に肩を出したり、イブニングドレス等で肩が露出するアウターウェアを着用する場合に、ブラジャー等の下着類の肩ストラップを取り外して着用することが可能となるとともに、肩ストラップレスブラジャー等を別途購入しなくてもよい、という利点があるので、近年普及している。
【０００３】
従来より、ブラジャー等に適用されている肩ストラップに用いられる肩ストラップ用取付具は図１８に示すリング部、肩ストラップ取付用穴、開口部、及び係止用ストランドを有しており、係止用ストランドの先端は鉤状に曲がっている係止部を有した形状が開示されている。（例えば、特許文献１参照）。
【０００４】
また、外形が略左右対称とされ、肩ストラップの端部を係留する肩ストラップ係留部と、前記外形の対称軸に略垂直な所定方向に沿った幅が前記肩ストラップ係留部との境界部よりも広くなるよう構成された布材係留部とを備えた肩ストラップ用取付具と、カップ付き女性用衣類の所定位置に縫着され、前記肩ストラップ用取付具の布材係留部を挿入するための挿入口が形成され、前記挿入口に前記布材係留部が挿入されることで、前記布材係留部が前記布材により係留されるよう構成された布材とから成り、肩ストラップをカップ付き女性用衣類の本体に脱着する際、脱着をスムーズに行うことができる肩ストラップ構造も開示されている。（例えば、特許文献２参照）。
【特許文献１】実登３４０４１１１号公報
【特許文献２】特開２００２−３４８７０４号公報
【発明の開示】
【発明が解決しようとする課題】
【０００５】
従来、図１８に示した肩ストラップ用取付具では、夏期等の暑い時期や、イブニングドレス等のアウターウェアを着用する場合において、ブラジャー等の下着類の肩ストラップを取り外す際、その脱着が容易ではなかった。
【０００６】
特許文献１に係る発明によれば、ブラジャーのカップ部に設けられた取付具用筒状部の取付穴を大きくすると、取付具用筒状部への脱着は容易になるが、肩ストラップ取付状態でブラジャーを着用している場合に、前記取付穴から、肩ストラップ用取付具の係止用ストランドが抜け易くなって着用中に肩ストラップが簡単に外れてしまうおそれがある。
【０００７】
また、肩ストラップ用取付具の開口部をあまり広く開けてしまうと、肩ストラップ取付状態でブラジャーを着用している場合に、前記取付穴から、肩ストラップ用取付具の係止用ストランドが抜け易くなり、肩ストラップが外れてしまうおそれがある。
【０００８】
特許文献２に係る発明によれば、肩ストラップをカップ付き女性用衣類の本体に脱着する際、脱着をスムーズに行うことができる肩ストラップ構造を有しているが、肩ストラップ用取付具を取り付ける布材がカップ付き女性用衣類の所定位置に縫着されているという構造を有している為、構造上、個人で従来より使用しているお気に入りの肩ストラップ等を取り付けることはできないおそれがある。
【０００９】
また、肩ストラップをカップ付き女性用衣類の本体に脱着する際、脱着をスムーズに行いたい場合には肩ストラップのみではなく、この構造を有するブラジャーを別途購入しなければならないおそれがある。
【００１０】
そこで、本発明はこのような問題点を解決するものであって、夏期等の暑い時期や、イブニングドレス等のアウターウェアを着用する場合において、ブラジャー等の下着類の肩ストラップの脱着を容易に行うことができ、不用意に外れることがない肩ストラップ用取付具を提供することを課題とする。
【課題を解決するための手段】
【００１１】
前記問題点を解決するために、本発明の請求項１に記載の発明の肩ストラップ用取付具は、カップ付き女性用衣類の本体に脱着可能とする肩ストラップ用取付具において、所定の厚みで、肩ストラップ端部に取り付けられるリング部、肩ストラップ取付用穴、開口部、及び係止用ストランドを有し、係止用ストランドの先端が鉤状に曲がっている係止部を有した取付具と、屈曲性を保持したバネ部材の留め具からなり、取付具の係止用ストランドの係止部を有するリング部の一端側に係止ストランドに対して交会方向に設けられた貫通穴に嵌合させて、留め具の曲折部が開口部内の係止部の内側と当接し、留め具が取り付け具の開口部を閉鎖するようにして、取り付けたことを特徴とするものである。
【００１２】
また、本発明の請求項２に記載の発明の肩ストラップ用取付具は、請求項１記載の肩ストラップ用取付具において、屈曲性を保持したバネ部材の留め具が、両端を内側に曲げた線材で、一端部を他端部より長くした形状からなり、取付具の係止用ストランドの係止部を有するリング部の一端側に係止ストランドに対して垂直方向に設けられた貫通穴に嵌合させて、留め具の曲折部が開口部内の係止部の内側と当接し、留め具が取り付け具の開口部を閉鎖するようにして、取り付けたことを特徴とするものである。
【００１３】
また、本発明の請求項３に記載の発明の肩ストラップ用取付具は、カップ付き女性用衣類の本体に脱着可能とする肩ストラップ用取付具において、所定の厚みで、肩ストラップ端部に取り付けられるリング部、肩ストラップ取付用穴、開口部、及び係止用ストランドを有した取付具と、取付具のリング部と重合するように設けられたアーム部を有する略Ｓ字状の面を有する留め具からなり、取付具の一端面の係止用ストランド側のリング部の中央部に設けられた凸部若しくは貫通穴を、留め具の中央部に設けられた貫通穴若しくは凸部に嵌合させて、取付具の開口部を留め具の略Ｓ字状の他端部により覆設するようにして、取り付けたことを特徴とするものである。
【００１４】
また、本発明の請求項４に記載の発明の肩ストラップ用取付具は、請求項３記載の肩ストラップ用取付具において、取付具のリング部と重合するように設けられたアーム部を有する略Ｓ字状の面を有する留め具が、取付具のリング部と重合するように設けられたアーム部を有する略Ｓ字状の面と、同形状である面とが夫々対応するよう、折曲平面部を介して折曲され形成され、取付具の一端面の係止用ストランド側のリング部の中央部に設けられた凸部若しくは貫通穴を、留め具の一端面の中央部に設けられた貫通穴若しくは凸部に嵌合させて、取付具の開口部を留め具の折曲平面部により覆設するようにして、取り付けたことを特徴とするものである。
【００１５】
また、本発明の請求項５に記載の発明は、カップ付き女性用衣類の本体に脱着可能とする肩ストラップ用取付具を端部に有する肩ストラップにおいて、端部に請求項１又は請求項２に記載の肩ストラップ用取付具を具備したことを特徴とするものである。
【００１６】
また、本発明の請求項６に記載の発明は、カップ付き女性用衣類の本体に脱着可能とする肩ストラップ用取付具を端部に有する肩ストラップにおいて、端部に請求項３又は請求項４に記載の肩ストラップ用取付具を具備したことを特徴とするものである。
【００１７】
また、本発明の請求項７に記載の発明は、肩ストラップを衣類本体に脱着可能としたカップ付き女性用衣類において、請求項５に記載の肩ストラップを具備したことを特徴とするものである。
【００１８】
また、本発明の請求項８に記載の発明は、肩ストラップを衣類本体に脱着可能としたカップ付き女性用衣類において、請求項６に記載の肩ストラップを具備したことを特徴とするものである。
（作用）
【００１９】
請求項１記載の肩ストラップ用取付具に係る発明では、本発明の肩ストラップ用取付具を肩ストラップの端部に用いた肩ストラップを、カップ付き女性用衣類本体に脱着可能にした衣類、例えばブラジャー等の下着類において、本発明の肩ストラップ用取付具に設けられた留め具を一定角度回動させることによって、肩ストラップの脱着を容易に行うことができる。
【００２０】
請求項２記載の肩ストラップ用取付具に係る発明では、本発明の肩ストラップ用取付具を肩ストラップの端部に用いた肩ストラップを、カップ付き女性用衣類本体に脱着可能にした衣類、例えばブラジャー等の下着類において、本発明の肩ストラップ用取付具に設けられた留め具を一定角度回動させることによって、肩ストラップの脱着を容易に行うことができる。
【００２１】
請求項３記載の肩ストラップ用取付具に係る発明では、本発明の肩ストラップ用取付具を肩ストラップの端部に用いた肩ストラップを、カップ付き女性用衣類本体に脱着可能にした衣類、例えばブラジャー等の下着類において、本発明の肩ストラップ用取付具に設けられた留め具を一定角度回動させることによって、肩ストラップの脱着を容易に行うことができる。
【００２２】
請求項４記載の肩ストラップ用取付具に係る発明では、本発明の肩ストラップ用取付具を肩ストラップの端部に用いた肩ストラップを、カップ付き女性用衣類本体に脱着可能にした衣類、例えばブラジャー等の下着類において、本発明の肩ストラップ用取付具に設けられた留め具を一定角度回動させることによって、肩ストラップの脱着を容易に行うことができる。
【００２３】
請求項５記載の肩ストラップに係る発明では、本発明の肩ストラップを用い、カップ付き女性用衣類本体に脱着可能にした衣類、例えばブラジャー等の下着類において、本発明の肩ストラップの端部に取り付けられた肩ストラップ用取付具に設けられた留め具を一定角度回動させることによって、本発明の肩ストラップの脱着を容易に行うことができる。
【００２４】
請求項６記載の肩ストラップに係る発明では、本発明の肩ストラップを用い、カップ付き女性用衣類本体に脱着可能にした衣類、例えばブラジャー等の下着類において、本発明の肩ストラップの端部に取り付けられた肩ストラップ用取付具に設けられた留め具を一定角度回動させることによって、本発明の肩ストラップの脱着を容易に行うことができる。
【００２５】
請求項７記載のカップ付き女性用衣類に係る発明では、例えばブラジャー等の下着類において、本発明のカップ付き女性用衣類の肩ストラップの端部に取り付けられた肩ストラップ用取付具に設けられた留め具を一定角度回動させることによって、肩ストラップの脱着を容易に行うことができる。
【００２６】
請求項８記載のカップ付き女性用衣類に係る発明では、例えばブラジャー等の下着類において、本発明のカップ付き女性用衣類の肩ストラップの端部に取り付けられた肩ストラップ用取付具に設けられた留め具を一定角度回動させることによって、肩ストラップの脱着を容易に行うことができる。
【発明の効果】
【００２７】
請求項１の発明によれば、本発明の肩ストラップ用取付具を肩ストラップの端部に用いた肩ストラップを、カップ付き女性用衣類本体に取り付けた後において、本発明の肩ストラップ用取付具に設けられた留め具の曲折部は、再び取付具の係止部と当接する為、取付具の開口部は留め具によって閉鎖され、カップ付き女性用衣類本体に設けられた取付具用筒状部は留め具により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００２８】
請求項２の発明によれば、本発明の肩ストラップ用取付具を肩ストラップの端部に用いた肩ストラップを、カップ付き女性用衣類本体に取り付けた後において、本発明の肩ストラップ用取付具に設けられた留め具の曲折部は、再び取付具の係止部と当接する為、取付具の開口部は留め具によって閉鎖され、カップ付き女性用衣類本体に設けられた取付具用筒状部は留め具により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００２９】
請求項３の発明によれば、本発明の肩ストラップ用取付具を肩ストラップの端部に用いた肩ストラップを、カップ付き女性用衣類本体に取り付けた後において、本発明の肩ストラップ用取付具に設けられた留め具のアーム部は、再び取付具のリング部と重合し、留め具の凸部も取付具の凹部と嵌合する為、取付具の開口部は留め具の略Ｓ字状の他端部によって覆設される。また、留め具のアーム部は、常に肩ストラップにより引き上げられており、留め具は回動することはない為、カップ付き女性用衣類本体に設けられた取付具用筒状部は留め具の略Ｓ字状の他端部により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００３０】
請求項４の発明によれば、本発明の肩ストラップ用取付具を肩ストラップの端部に用いた肩ストラップを、カップ付き女性用衣類本体に取り付けた後において、本発明の肩ストラップ用取付具に設けられた留め具のアーム部は、再び取付具のリング部と重合し、留め具の凸部も取付具の凹部と嵌合する為、取付具の開口部は留め具の折曲平面部によって覆設される。また、留め具のアーム部は、常に肩ストラップにより引き上げられており、留め具は回動することはない為、カップ付き女性用衣類本体に設けられた取付具用筒状部は留め具の係止面部により抜けが防止されて、本発明の肩ストラップ用取付具は、カップ付き女性用衣類本体に設けられた取付具用筒状部に取り付けられた状態が維持され、肩ストラップはカップ付き女性用衣類本体より不用意に外れることはない。
【００３１】
請求項５の発明によれば、本発明の肩ストラップをカップ付き女性用衣類本体に取り付けた後において、本発明の肩ストラップの端部に取り付けられた肩ストラップ用取付具に設けられた留め具の曲折部は、再び取付具の係止部と当接する為、取付具の開口部は留め具によって閉鎖され、カップ付き女性用衣類本体に設けられた取付具用筒状部は留め具により抜けが防止されて、肩ストラップ用取付具は、カップ付き女性用衣類本体に設けられた取付具用筒状部に取り付けられた状態が維持され、本発明の肩ストラップはカップ付き女性用衣類本体より不用意に外れることはない。
【００３２】
請求項６の発明によれば、本発明の肩ストラップをカップ付き女性用衣類本体に取り付けた後において、本発明の肩ストラップの端部に取り付けられた肩ストラップ用取付具に設けられた留め具のアーム部は、再び取付具のリング部と重合し、留め具の凸部も取付具の凹部と嵌合する為、取付具の開口部は留め具の略Ｓ字状の他端部、又は留め具の折曲平面部によって覆設される。また、留め具のアーム部は、常に肩ストラップにより引き上げられており、留め具は回動することはない為、カップ付き女性用衣類本体に設けられた取付具用筒状部は留め具の略Ｓ字状の他端部、又は留め具の係止面部により抜けが防止されて、肩ストラップ用取付具は、カップ付き女性用衣類本体に設けられた取付具用筒状部に取り付けられた状態が維持され、本発明の肩ストラップはカップ付き女性用衣類本体より不用意に外れることはない。
【００３３】
請求項７の発明によれば、肩ストラップの端部に取り付けられた肩ストラップ用取付具に設けられた留め具の曲折部は、再び取付具の係止部と当接する為、取付具の開口部は留め具によって閉鎖され、本発明のカップ付き女性用衣類本体に設けられた取付具用筒状部は留め具により抜けが防止されて、肩ストラップ用取付具は、本発明のカップ付き女性用衣類本体に設けられた取付具用筒状部に取り付けられた状態が維持され、肩ストラップは本発明のカップ付き女性用衣類本体より不用意に外れることはない。
【００３４】
請求項８の発明によれば、肩ストラップの端部に取り付けられた肩ストラップ用取付具に設けられた留め具のアーム部は、再び取付具のリング部と重合し、留め具の凸部も取付具の凹部と嵌合する為、取付具の開口部は留め具の略Ｓ字状の他端部、又は留め具の折曲平面部によって覆設される。また、留め具のアーム部は、常に肩ストラップにより引き上げられており、留め具は回動することはない為、本発明のカップ付き女性用衣類本体に設けられた取付具用筒状部は留め具の略Ｓ字状の他端部、又は留め具の係止面部により抜けが防止されて、肩ストラップ用取付具は、本発明のカップ付き女性用衣類本体に設けられた取付具用筒状部に取り付けられた状態が維持され、肩ストラップは本発明のカップ付き女性用衣類本体より不用意に外れることはない。
【発明を実施するための最良の形態】
【００３５】
以下、本発明の実施の形態における肩ストラップ用取付具を図面に基づいて説明する。
【実施例１】
【００３６】
本発明の実施例１における肩ストラップ用取付具について図１乃至図７に基づいて説明する。図１（ａ）に示すように、取付具１は金属製で所定の厚みを有しており、リング部１ａ並びに係止用ストランド１ｃから構成されており、前記係止用ストランド１ｃの先端には鉤状に曲がっている係止部１ｄを有している。また、前記リング部１ａには肩ストラップを通すための変形楕円状の肩ストラップ取付用穴１ｂが設けられており、前記係止部１ｄを有する側の一端部には前記係止ストランド１ｃと垂直方向に対して、留め具２を取り付ける為の２箇所の貫通した同径の留め具用穴１ｆ及び１ｇが設けられている。また、前記リング部１ａと前記係止部１ｄの間には、図６に示すブラジャー７の取付具用筒状部７ｂを挿入させるための開口部１ｅが設けられている。さらに、前記係止用ストランド１ｃの開口部側の係止面部１ｈは、図１（ａ）に示すようにその中央部の形状を上に凸にすることもできるし、直線部とすることもできる。
【００３７】
留め具２は、図１（ｂ）に示すように、両端を内側に曲げた略Ｕ字状の金属製の弾性線材で、一端部を他端部より長くした形状としている。前記金属製の弾性線材は、屈曲自在の線材、板材、樹脂材の何れかからなるバネ部材である。このとき、線材の外径は前記留め具用穴１ｆ及び１ｇに嵌入されるよう前記留め具用穴径よりも僅かに小さくなっている。また、前記留め具２の曲折部２ｃは前記取付具１の厚みよりも僅かに大きく設けられている。
【００３８】
図３（ａ）に示すように、前記留め具２は、留め具端部２ａを前記取付具１の一端面から前記留め具用穴１ｆに通し、留め具端部２ｂを前記取付具１の他端面から前記留め具用穴１ｇに通して取り付けられ、肩ストラップ用取付具３が構成されている。このとき、前記留め具２は、少なくとも前記曲折部２ｃが前記開口部１ｅ内の前記係止部１ｄの内側と当接するよう形成されている。よって、前記留め具２は、前記曲折部２ｃが前記リング部１ａの前記係止ストランド１ｃ側の外形に当接するまで、前記留め具用穴１ｆ及び１ｇを中心に時計回りに回動することができる。
【００３９】
ここで、前記肩ストラップ用取付具３を肩ストラップに取り付け、衣類本体に脱着可能とした衣類として、ブラジャーを例にとり図６乃至図７に基づいて説明する。図６は、肩ストラップをブラジャー本体に脱着可能とした一例の肩ストラップ用取付具を有するブラジャーの裏側から見た部分説明図を示す。
【００４０】
肩ストラップ８の端部は、前記肩ストラップ用取付具３の前記リング部１ａの前記肩ストラップ取付用穴１ｂを通って反転されて、肩ストラップ縫製部８ａで縫製されて前記肩ストラップ用取付具３に取り付けられている。
【００４１】
一方、布地からなる取付具用筒状部７ｂは、ブラジャー７のカップ部７ａの裏側の上側端部に筒状の取付穴７ｄが形成できるように布地を丸めて、縫製部７ｃでカップ部７ａの裏側に縫着されている。
【００４２】
前記肩ストラップ８を前記ブラジャー７本体に取り付ける場合には、図７（ａ）に示すように、前記留め具２を一定角度回動させながら、図（ｂ）に示すように、前記取付具用筒状部７ｂの前記取付穴７ｄに、前記肩ストラップ用取付具３の前記係止用ストランド１ｃを特定の一方向から差し込んで、前記係止用ストランド１ｃの前記係止部１ｄが前記取付穴７ｄの反対側に突き出るようにして取り付ける。このとき、前記係止ストランド１ｃは、前記取付具用筒状部７ｂよりも長く形成されているほうが好ましい。前記留め具２は、前記取付具１の２箇所の前記留め具用穴１ｆ、１ｇに取り付けられている為、弾性を有しており一定角度回動されても、再び図（ｂ）の矢印方向に反時計回り方向に回動し、図（ｃ）に示すように、前記留め具２の前記曲折部２ｃは、再び前記係止部１ｄと当接する為、前記開口部１ｅは前記留め具２によって閉鎖され、前記取付具用筒状部７ｂは前記留め具２により抜けが防止されて、前記肩ストラップ用取付具３は前記取付具用筒状部７ｂに取り付けられた状態が維持され、前記肩ストラップ８は前記ブラジャー７本体より外れることはない。
【００４３】
また、前記肩ストラップ８を前記ブラジャー７本体から外す場合には、前記留め具２を一定角度回動させながら、前記肩ストラップ用取付具３の前記係止用ストランド１ｃを前記取付具用筒状部７ｂの前記取付け穴７ｄから、差し込んだ方向と反対側に引き抜けばよい。
【００４４】
本実施例によれば、夏期等の暑い時期や、イブニングドレス等のアウターウェアを着用する場合において、ブラジャー等の下着類の前記肩ストラップ８の前記肩ストラップ用取付具３に設けられた前記留め具２を一定角度回動させることによって、脱着を容易に行うことができる。また、取付後においては、前記留め具２の前記曲折部２ｃは、再び前記係止部１ｄと当接する為、前記開口部１ｅは前記留め具２によって閉鎖され、前記取付具用筒状部７ｂは前記留め具２により抜けが防止されて、前記肩ストラップ用取付具３は前記取付具用筒状部７ｂに取り付けられた状態が維持され、前記肩ストラップ８は前記ブラジャー７本体より不用意に外れることはない。
【実施例２】
【００４５】
次に、本発明の実施例２における肩ストラップ用取付具について、図８乃至図１６に基づいて説明する。この実施例２おける発明は、実施例１と略同様の効果を有するが肩ストラップ用取付具構造において相違する。
【００４６】
本発明の実施例２における肩ストラップ用取付具について図８乃至図１６に基づいて説明する。図８（ａ）に示すように、取付具４は金属製で所定の厚みを有しており、リング部４ａ並びに係止用ストランド４ｃから構成されている。このとき、前記取付具１のように前記係止用ストランド４ｃの先端に図示されていない鉤状に曲がっている係止部を設けることもできる。また、前記リング部４ａには肩ストラップを通すための変形楕円状の肩ストラップ取付用穴４ｂが設けられており、前記係止用ストランド４ｃ側の前記リング部４ａの中央部には、図８（ａ）に示す前記取付具４の紙面の裏面から表面へ向けて突設させ形成された環状凸部４ｅ、一方前記裏面には環状凹部４ｆが設けられている。このとき、図９（ａ）に示すように、両端面に前記環状凸部４ｅを設けることもできるし、図１０（ａ）に示すように、貫通穴４ｈとすることもできる。
また、前記リング部４ａと前記係止ストランド４ｃの間には、図１５に示すブラジャー７の前記取付具用筒状部７ｂを挿入させるための開口部４ｄが設けられている。さらに、前記係止用ストランド４ｃの開口部側の端部に、前記取付具４の両端面より所定の深さを有した同形状の環状凹部４ｇが設けられている。
【００４７】
留め具５は、金属製で図８（ｂ）に示すように前記取付具４の前記環状凸部４ｅを中心として、前記リング部４ａの左上側とほぼ同形状であるアーム部５ａを有した略Ｓ字状の面５ｆと、同形状である面５ｇとが夫々対応するよう折曲平面部５ｈを介して折曲され、形成されている。このとき、前記面５ｆと前記面５ｇにおける両者の間隔は前記取付具４の厚みよりも僅かに広く設けられている。また、前記面５ｆの中央部には貫通穴５ｃが設けられ、前記面５ｇの前記貫通穴５ｃに対応する箇所には、外側端面から内側端面へ向けて突設させ形成された環状凸部５ｄが設けられている。
また、前記貫通穴５ｃは前記環状凸部４ｅよりも僅かに大きく、前記環状凸部５ｄは前記環状凹部４ｆよりも僅かに小さくなるよう形成されている。このとき、図９（ｂ）に示すように、前記面５ｇにも面５ｆの前記貫通穴５ｃと対応するよう、前記貫通穴５ｃを設けることもできるし、図１０（ｂ）に示すように、前記面５ｆにも面５ｇの前記環状凸部５ｄと対応するよう、前記環状凸部５ｄを設けることもできる。また、図１０（ａ）に示す前記貫通穴４ｈは前記環状凸部５ｄよりも僅かに大きくなるよう形成されている。
さらに、前記面５ｆと前記面５ｇの折曲平面部５ｈ側の端部には、前記面５ｆと前記面５ｇの両端面より所定の深さ、外側から内側へ向けて突設させ形成された環状凸部５ｅ及び係止面部５ｂとして直線部が設けられている。このとき、留め具５は、面５ｆのみとすることもできるし、面５ｆと同形状でない面（図示しない）とから形成することもできる。
【００４８】
図１１（ａ）に示すように、前記取付具４の前記環状凸部４ｅが前記留め具５の前記貫通穴５ｃに嵌合され、前記留め具５の前記環状凸部５ｄが前記取付具４の前記環状凹部４ｆに嵌合されて、前記留め具５は前記取付具４に取り付けられ、肩ストラップ用取付具６が構成されている。（仕様例１）また、図９の前記取付具４と前記留め具５が取付けられる場合には、前記取付具４の前記環状凸部４ｅが前記留め具５の前記貫通穴５ｃに嵌合して取付けられ（仕様例２）、図１０の前記取付具４と前記留め具５が取付けられる場合には、前記取付具４の前記貫通穴４ｈに前記留め具５の前記環状凸部５ｄが嵌合して取付けられる。（仕様例３）また同時に、前記環状凸部５ｅも前記環状凹部４ｇに嵌合するよう構成されている。
また、請求項３乃至４記載の「凸部若しくは貫通穴」とは、夫々前記取付具４の前記環状凸部４ｅ若しくは前記取付具４の前記貫通穴４ｈを示唆し、「貫通穴若しくは凸部」とは、夫々前記留め具５の前記貫通穴５ｃ若しくは前記留め具５の前記環状凸部５ｄを示唆するものである。
このとき、図１１において、前記留め具５の前記アーム部５ａは、前記取付具４の前記リング部４ａと重合するように形成されている。また、前記留め具５の前記折曲平面部５ｈは、前記取付具４の前記開口部４ｄを覆設するように形成されている。前記留め具５が面５ｆのみ及び面５ｆと同形状でない面（図示しない）とから形成されている場合は、前記取付具４の前記開口部４ｄは、略Ｓ字状の他端部により覆設される。また、前記面５ｆと前記面５ｇにおける両者の間隔は前記取付具４の厚みよりも僅かに広く設けられている為、図１３（ａ）に示すように前記折曲平面部５ｈの端部が前記取付具４の前記リング部４ａの外形に当接するまで、前記留め具５は前記取付具４の前記環状凸部４ｅと前記留め具５の前記環状凸部５ｄを中心に反時計回りに回動することができる。また、前記環状凸部５ｅを環状凹部とし、前記環状凹部４ｇを環状凸部と置換することもできる。
【００４９】
ここで、前記肩ストラップ用取付具を肩ストラップに取り付け、衣類本体に脱着可能とした衣類として、ブラジャーを例にとり図１５乃至図１６に基づいて説明する。図１５は、肩ストラップをブラジャー本体に脱着可能とした一例の仕様例１の肩ストラップ用取付具を有するブラジャーの裏側から見た部分図を示す。本説明は、図８に示す前記取付具４と前記留め具５を取付けた図１１乃至図１４仕様の肩ストラップ取付具６に関するものであるが、図９に示す仕様例２の前記取付具４と前記留め具５若しくは図１０に示す仕様例３の前記取付具４と前記留め具５を取付けた肩ストラップ取付具６（図示しない仕様例２及び３）であっても、同様の効果を有するものである。
【００５０】
肩ストラップ８の端部は、前記肩ストラップ用取付具６の前記リング部４ａの前記肩ストラップ取付用穴４ｂを通って反転されて、肩ストラップ縫製部８ａで縫製されて前記肩ストラップ用取付具６に取り付けられている。
【００５１】
一方、布地からなる取付具用筒状部７ｂは、ブラジャー７のカップ部７ａの裏側の上側端部に筒状の取付穴７ｄが形成できるように布地を丸めて、縫製部７ｃでカップ部７ａの裏側に縫着されている。
【００５２】
前記肩ストラップ８を前記ブラジャー７本体に取り付ける場合には、図１６（ａ）に示すように、前記取付具４の前記環状凸部４ｅと前記留め具５の前記環状凸部５ｄを中心に前記留め具５を一定角度回動させた後、図１６（ｂ）に示すように、前記取付具用筒状部７ｂの前記取付け穴７ｄに、前記肩ストラップ用取付具６の前記係止用ストランド４ｃを特定の一方向から差し込んで、前記係止用ストランド４ｃの端部が前記取付穴７ｄの反対側に突き出るようにして取り付ける。このとき、前記係止ストランド４ｃは、前記取付具用筒状部７ｂよりも長く形成されているほうが好ましい。後に、図１６（ｂ）の矢印のように前記肩ストラップ８を引き上げると、前記肩ストラップ８と共に前記留め具５の前記アーム部５ａも引き上げられ、図１６（ｃ）に示すように、前記留め具５の前記アーム部５ａは、再び前記取付具４の前記リング部４ａと重合し、前記留め具５の前記環状凸部５ｅも前記取付具４の前記環状凹部４ｇと嵌合する為、前記開口部４ｄは前記留め具５の略Ｓ字状の他端部、又は前記折曲平面部５ｈによって覆設される。
また、前記留め具５の前記アーム部５ａは、常に前記肩ストラップ８により引き上げられており、前記留め具５は回動することはない為、前記取付具用筒状部７ｂは前記留め具５の略Ｓ字状の他端部、又は前記係止面部５ｂにより抜けが防止されて、前記肩ストラップ用取付具６は前記取付具用筒状部７ｂに取り付けられた状態が維持され、前記肩ストラップ８は前記ブラジャー７本体より外れることはない。
【００５３】
また、前記肩ストラップ８を前記ブラジャー７本体から外す場合には、前記留め具５を一定角度回動させた後、前記肩ストラップ用取付具６の前記係止用ストランド４ｃを前記取付具用筒状部７ｂの前記取付け穴７ｄから、差し込んだ方向と反対側に引き抜けばよい。
【００５４】
本実施例によれば、夏期等の暑い時期や、イブニングドレス等のアウターウェアを着用する場合において、ブラジャー等の下着類の前記肩ストラップ８の前記肩ストラップ用取付具６に設けられた前記留め具５を前記取付具４の前記環状凸部４ｅと前記留め具５の前記環状凸部５ｄを中心に一定角度回動させることによって、脱着を容易に行うことができる。また、取付後において前記留め具５の前記アーム部５ａは、再び前記取付具４の前記リング部４ａと重合し、前記留め具５の前記環状凸部５ｅも前記取付具４の前記環状凹部４ｇと嵌合する為、前記開口部４ｄは前記留め具５の略Ｓ字状の他端部、又は前記折曲平面部５ｈによって覆設される。また、前記留め具５の前記アーム部５ａは、常に前記肩ストラップ８により引き上げられており、前記留め具５は回動することはない為、前記取付具用筒状部７ｂは前記留め具５の略Ｓ字状の他端部、又は前記係止部５ｂにより抜けが防止されて、前記肩ストラップ用取付具６は前記取付具用筒状部７ｂに取り付けられた状態が維持され、前記肩ストラップ８は前記ブラジャー７本体より不用意に外れることはない。
【００５５】
また、本発明は、上記実施例には限られず、各種のカップ付き女性用衣類、例えば、ブラスリット、ボディースーツ、キャミソール等においても採用することができ、図１７に示すように鞄等のショルダーベルトの連結環としても採用することができる。これにより、ナス環による構成部品の点数よりも部品点数を削減することができ、生産コストも削減することができる。
【００５６】
また、前記取付具１と前記留め具２より構成される前記肩ストラップ用取付具３及び前記取付具４と前記留め具５より構成される前記肩ストラップ用取付具６の材質は、金属製に限らず樹脂製とすることもできる。
【図面の簡単な説明】
【００５７】
【図１】本発明の実施例１における肩ストラップ用取付具の（ａ）取付具正面図及びＡ―Ａによる垂直断面図、（ｂ）留め具正面図及び右側面図である。
【図２】本発明の実施例１における肩ストラップ用取付具の（ａ）正面図、（ｂ）右側面図、及び（ｃ）左側面図である。
【図３】本発明の実施例１における肩ストラップ用取付具の（ａ）平面図、（ｂ）底面図、及び（ｃ）背面図である。
【図４】本発明の実施例１における肩ストラップ用取付具の留め具を一定角度回動させたときの（ａ）正面図、（ｂ）右側面図、及び（ｃ）左側面図である。
【図５】本発明の実施例１における肩ストラップ用取付具の留め具を一定角度回動させたときの（ａ）平面図、（ｂ）底面図、及び（ｃ）背面図である。
【図６】本発明の実施例１における肩ストラップ用取付具を有した肩ストラップをブラジャーに取り付ける際、裏側から見た部分説明図である。
【図７】本発明の実施例１における肩ストラップ用取付具を有した肩ストラップをブラジャーに取り付ける際、裏側から見た部分拡大図の（ａ）留め具回動時、（ｂ）肩ストラップ用取付具装着図、及び（ｃ）肩ストラップ用取付具装着完了図である。
【図８】本発明の実施例２における仕様例１の肩ストラップ用取付具の（ａ）取付具正面図及び右側面図、（ｂ）留め具正面図、右側面図及び底面図である。
【図９】本発明の実施例２における仕様例２の肩ストラップ用取付具の（ａ）取付具正面図及び右側面図、（ｂ）留め具正面図、右側面図及び底面図である。
【図１０】本発明の実施例２における仕様例３の肩ストラップ用取付具の（ａ）取付具正面図及び右側面図、（ｂ）留め具正面図、右側面図及び底面図である。
【図１１】本発明の実施例２における仕様例１の肩ストラップ用取付具の（ａ）正面図、（ｂ）右側面図、及び（ｃ）左側面図である。
【図１２】本発明の実施例２における仕様例１の肩ストラップ用取付具の（ａ）平面図、（ｂ）底面図、及び（ｃ）背面図である。
【図１３】本発明の実施例２における仕様例１の肩ストラップ用取付具の留め具を一定角度回動させたときの（ａ）正面図、（ｂ）右側面図、及び（ｃ）左側面図である。
【図１４】本発明の実施例２における仕様例１の肩ストラップ用取付具の留め具を一定角度回動させたときの（ａ）平面図、（ｂ）底面図、及び（ｃ）背面図である。
【図１５】本発明の実施例２における仕様例１の肩ストラップ用取付具を有した肩ストラップをブラジャーに取り付ける際、裏側から見た部分図である。
【図１６】本発明の実施例２における仕様例１の肩ストラップ用取付具を有した肩ストラップをブラジャーに取り付ける際、裏側から見た部分拡大図の（ａ）留め具回動時、（ｂ）肩ストラップ用取付具装着図、及び（ｃ）肩ストラップ用取付具装着完了図である。
【図１７】鞄等の連結環に（ａ）本発明の実施例１における肩ストラップ用取付具を用いたときの参考正面図、及び（ｂ）本発明の実施例２における仕様例１の肩ストラップ用取付具を用いたときの参考正面図である。
【図１８】従来の肩ストラップ用取付具の正面図である。
【符号の説明】
【００５８】
１    取付具
１ａ  リング部
１ｂ  肩ストラップ取付用穴
１ｃ  係止用ストランド
１ｄ  係止部
１ｅ  開口部
１ｆ、１ｇ  留め具用穴
１ｈ  係止面部
２    留め具
２ａ、２ｂ  留め具端部
２ｃ  曲折部
３    肩ストラップ用取付具
４    取付具
４ａ  リング部
４ｂ  肩ストラップ取付用穴
４ｃ  係止用ストランド
４ｄ  開口部
４ｅ  環状凸部
４ｆ、４ｇ  環状凹部
４ｈ  貫通穴
５ａ  アーム部
５ｂ  係止面部
５ｃ  貫通穴
５ｄ、５ｅ  環状凸部
５ｆ、５ｇ  面
５ｈ  折曲平面部
６    肩ストラップ用取付具
７    ブラジャー
７ａ  カップ部
７ｂ  取付具用筒状部
７ｃ  縫製部
７ｄ  取付穴
８    肩ストラップ
８ａ  肩ストラップ縫製部
９    ショルダーベルト
９ａ  ショルダーベルト縫製部
１０  取付金具
１１  バッグ部ストラップ
１１ａ  バッグ部ストラップ縫製部
【図１】
2008002004.tif 000003
【図２】
2008002004.tif 000004
【図３】
2008002004.tif 000005
【図４】
2008002004.tif 000006
【図５】
2008002004.tif 000007
【図６】
2008002004.tif 000008
【図７】
2008002004.tif 000009
【図８】
2008002004.tif 000010
【図９】
2008002004.tif 000011
【図１０】
2008002004.tif 000012
【図１１】
2008002004.tif 000013
【図１２】
2008002004.tif 000014
【図１３】
2008002004.tif 000015
【図１４】
2008002004.tif 000016
【図１５】
2008002004.tif 000017
【図１６】
2008002004.tif 000018
【図１７】
2008002004.tif 000019
【図１８】
2008002004.tif 000020